【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
ａ）（メタ）アクリレートエステルモノマーを含む（共）重合性材料の反応生成物を含む（コ）ポリマー材料、及び所望により含まれる、エチレン性不飽和基を有するコモノマーと、
ｂ）少なくとも２つのアジリジン官能基を含む多官能性アジリジン硬化剤と、
ｃ）熱酸発生剤、光酸発生剤、及びこれらの組み合わせ又は混合物からなる群から選択される酸発生剤と、
を含み、
前記コモノマーは、非酸官能性の極性モノマーであり、
前記光酸発生剤は、有機金属錯体のイオン性塩、ヨードニウム塩、スルホニウム塩及びこれらの組み合わせ又は混合物からなる群から選択される、感圧接着剤の硬化性前駆体。
【請求項２】
前記多官能性アジリジン硬化剤が、２つ又は３つのアジリジン官能基を含む、請求項１に記載の硬化性前駆体。
【請求項３】
前記多官能性アジリジン硬化剤が、下記の式で表される、請求項１に記載の硬化性前駆体。
【化１】
2017508021.tif 000001
（式中、
Ｒ１は、（ヘテロ）ヒドロカルビル基であり、
Ｒ２は、Ｈ、又はＣ１〜Ｃ１２アルキル基、Ｃ１〜Ｃ８アルキル基、Ｃ１〜Ｃ６アルキル基、Ｃ１〜Ｃ４アルキル基、Ｃ１〜Ｃ２アルキル基、Ｃ６〜Ｃ１２芳香族基、Ｃ６〜Ｃ１０芳香族基、又は更にはＣ６〜Ｃ７芳香族基であり、
ｘは、０、１又は２であり、
ｙは、少なくとも１である。）
【請求項４】
前記多官能性アジリジン硬化剤が、下記の式で表される、請求項１に記載の硬化性前駆体。
【化２】
2017508021.tif 000002
（式中、
Ｒ４は、ｙ価を有する（ヘテロ）ヒドロカルビル基であり、
Ｒ５及びＲ６は独立に、（ヘテロ）ヒドロカルビル基であり、
Ｒ２は、Ｈ、又はＣ１〜Ｃ１２アルキル基、Ｃ１〜Ｃ８アルキル基、Ｃ１〜Ｃ６アルキル基、Ｃ１〜Ｃ４アルキル基、Ｃ１〜Ｃ２アルキル基、Ｃ６〜Ｃ１２芳香族基、Ｃ６〜Ｃ１０芳香族基、又は更にはＣ６〜Ｃ７芳香族基であり、
ｙは、少なくとも１であり、
ｘは、０、１又は２であり、
ａ及びｂはそれぞれ独立に、０〜６、０〜４、又は更には０〜２である。）
【請求項５】
前記酸発生剤が、第四級ブロックされた超酸、アミンブロックされた超酸、及びこれらの組み合わせ又は混合物からなる群から選択される熱酸発生剤である、請求項１〜４のいずれか一項に記載の硬化性前駆体。
【請求項６】
非酸官能性の極性モノマーが、窒素含有基又はその塩を有する、請求項１〜５のいずれか一項に記載の硬化性前駆体。
【請求項７】
前記窒素含有基が、第二級アミド基及び第三級アミド基から選択されるものである、請求項６に記載の硬化性前駆体。
【請求項８】
前記所望により含まれる、エチレン性不飽和基を有するコモノマーが、Ｎ−ビニルカプロラクタムであるように選択される、請求項１に記載の硬化性前駆体。
【請求項９】
（メタ）アクリレートエステルモノマーを含む（共）重合性材料の反応生成物を含む前記（コ）ポリマー材料が、酸官能性モノマーを含まない、請求項１に記載の硬化性前駆体。
【請求項１０】
ａ）（メタ）アクリレートエステルモノマーを含む（共）重合性材料の反応生成物を含む（コ）ポリマー材料、及び所望により含まれる、エチレン性不飽和基を有するコモノマーを１００重量部と、
ｂ）少なくとも２つのアジリジン官能基を含む多官能性アジリジン硬化剤を０．１〜３０重量部、０．５〜２５重量部、１〜２０重量部、１〜１５重量部、又は更には５〜１５重量部と、
ｃ）熱酸発生剤、光酸発生剤、及びこれらの組み合わせ又は混合物からなる群から選択される酸発生剤を０．０１〜１０重量部、０．１〜８重量部、０．２〜６重量部、又は更には０．２〜５重量部と、
ｄ）所望により含まれる充填材料、好ましくは中空ガラス微小球を１〜２０重量部、３〜１５重量部、又は更には５〜１３重量部と、
を含み、
前記コモノマーは、非酸官能性の極性モノマーであり、
前記光酸発生剤は、有機金属錯体のイオン性塩、ヨードニウム塩、スルホニウム塩及びこれらの組み合わせ又は混合物からなる群から選択される、請求項１〜９のいずれか一項に記載の硬化性前駆体。
【請求項１１】
請求項１〜１０のいずれか一項に記載の硬化性前駆体を硬化させることにより得られる硬化した感圧接着剤であって、硬化させる工程が、感圧接着剤の前記硬化性前駆体中に酸を放出させることにより実施される、硬化した感圧接着剤。
【請求項１２】
前記硬化させる工程が、感圧接着剤の前記硬化性前駆体に、前記酸発生剤が前記感圧接着剤の前記硬化性前駆体中に酸を放出するのに十分なトリガーエネルギーを与えることによって実施される、請求項１１に記載の硬化した感圧接着剤。
【請求項１３】
前記トリガーエネルギーが、熱エネルギー又は化学線照射である、請求項１２に記載の硬化した感圧接着剤。
【請求項１４】
感圧接着剤を基材に適用する方法であって、
ａ）
ｉ．（メタ）アクリレートエステルモノマーを含む（共）重合性材料の反応生成物を含む（コ）ポリマー材料、及び所望により含まれる、エチレン性不飽和基を有するコモノマーと、
ｉｉ．少なくとも２つのアジリジン官能基を含む多官能性アジリジン硬化剤と、
ｉｉｉ．所望により含まれる、熱酸発生剤、光酸発生剤、及びこれらの組み合わせ又は混合物からなる群から選択される酸発生剤と、
を含む感圧接着剤の硬化性前駆体を提供する工程と、
ｂ）感圧接着剤の前記硬化性前駆体を、前記基材の表面の少なくとも一部に適用する工程と、
ｃ）感圧接着剤の前記硬化性前駆体を、酸をこれの中に放出させることにより、硬化させる工程と、
を含み、
前記コモノマーは、非酸官能性の極性モノマーであり、
前記光酸発生剤は、有機金属錯体のイオン性塩、ヨードニウム塩、スルホニウム塩及びこれらの組み合わせ又は混合物からなる群から選択される、方法。
【請求項１５】
感圧接着剤を基材に適用する方法であって、
ａ）
ｉ．（メタ）アクリレートエステルモノマーを含む（共）重合性材料の反応生成物を含む（コ）ポリマー材料、及び所望により含まれる、エチレン性不飽和基を有するコモノマーと、
ｉｉ．少なくとも２つのアジリジン官能基を含む多官能性アジリジン硬化剤と、
ｉｉｉ．所望により含まれる、熱酸発生剤、光酸発生剤、及びこれらの組み合わせ又は混合物からなる群から選択される酸発生剤と、
を含む感圧接着剤の硬化性前駆体を提供する工程と、
ｂ）感圧接着剤の前記硬化性前駆体を、酸をこれの中に放出させることにより、部分的に硬化させる工程と、
ｃ）前記部分的に硬化した感圧接着剤を、前記基材の表面の少なくとも一部に適用する工程と、
ｄ）前記部分的に硬化した感圧接着剤を、前記基材上で完全に硬化させる工程と、
を含み、
前記コモノマーは、非酸官能性の極性モノマーであり、
前記光酸発生剤は、有機金属錯体のイオン性塩、ヨードニウム塩、スルホニウム塩及びこれらの組み合わせ又は混合物からなる群から選択される、方法。
【請求項１６】
前記硬化させる工程が、前記感圧接着剤の前記硬化性前駆体に、前記酸発生剤が感圧接着剤の前記硬化性前駆体中に酸を放出するのに十分なトリガーエネルギーを与えることによって実施される、請求項１４又は１５に記載の方法。
【請求項１７】
前記トリガーエネルギーが、熱エネルギー又は化学線照射である、請求項１６に記載の方法。
【請求項１８】
前記硬化させる工程が、感圧接着剤の前記硬化性前駆体を酸供給源に接触させることにより実施される、請求項１４又は１５に記載の方法。